(57)【要約】      （修正有）【課題】防水性を有するとともに、ＬＥＤ装置からの熱が電源部に悪影響を与えることを防止または抑制して、安定的に使用することができるクリップライト作業灯を提供する。【解決手段】クリップライト作業灯１は、第１の収納部２と、第１の収納部２内に設けられたＬＥＤ装置３と、第１の収納部２の一端に嵌合する第２の収納部と、ＬＥＤ装置３を駆動するための電源部５とを備える。電源部５は、ＬＥＤ装置３と分離されるように、前記第２の収納部内に設けられていることを特徴とする。【選択図】図２
0003212895.tif 000002
【実用新案登録請求の範囲】
【請求項１】
第１の収納部と、前記第１の収納部内に設けられたＬＥＤ装置と、前記第１の収納部の一端に嵌合する第２の収納部と、前記ＬＥＤ装置を駆動するための電源部とを備えるクリップライト作業灯であって、
前記電源部は、前記ＬＥＤ装置と分離されるように、前記第２の収納部内に設けられていることを特徴とするクリップライト作業灯。
【請求項２】
前記第１の収納部と前記第２の収納部との間に、前記第１の収納部と前記第２の収納部との内部空間を仕切る遮断部をさらに備える請求項１に記載のクリップライト作業灯。
【請求項３】
前記遮断部は、合成樹脂製であり、前記ＬＥＤ装置と前記電源部とを電気的に接続する配線を挿通する開口部を有する請求項２に記載のクリップライト作業灯。
【請求項４】
前記ＬＥＤ装置は、長尺のＬＥＤ用基板と、前記ＬＥＤ用基板上に直線状に配置された複数のＬＥＤ素子とを有する少なくとも１つのＬＥＤ実装基板を備え、
前記少なくとも１つのＬＥＤ実装基板は、その一端で、前記遮断部に設けられている請求項３に記載のクリップライト作業灯。
【請求項５】
前記遮断部は、平面視で円形状をなし、
前記少なくとも１つのＬＥＤ実装基板は、複数のＬＥＤ実装基板を備え、
前記複数のＬＥＤ実装基板は、前記遮断部の円周に沿って等間隔に設けられている請求項４に記載のクリップライト作業灯。
【請求項６】
前記第２の収納部は、前記クリップライト作業灯を所定の場所に固定するクリップが取り付けられる当接部と、人の手により把持される把持部とを備える請求項１ないし５のいずれか１項に記載のクリップライト作業灯。
【請求項７】
前記電源部は、前記当接部に対応するように前記第２の収納部内に設けられている請求項６に記載のクリップライト作業灯。
【請求項８】
前記電源部は、前記クリップライト作業灯に他のクリップライト作業灯を電気的に連結するための接続部をさらに備える請求項１ないし７のいずれか１項に記載のクリップライト作業灯。
【請求項９】
前記第１の収納部は、複数の面で形成され、隣り合う前記面同士の間にリブ部を備える請求項１ないし８のいずれか１項に記載のクリップライト作業灯。
【請求項１０】
前記第１の収納部は、第１の突出部を備え、
前記第１の突出部は、前記第１の収納部に突設された第１の基端部と、前記第１の基端部から湾曲して、前記第１の収納部の長手方向に沿って延在する第１の先端部とを有し、
前記第２の収納部は、第２の突出部を備え、
前記第２の突出部は、前記第２の収納部に突設された第２の基端部と、前記第２の基端部から湾曲して、前記第２の収納部の長手方向に沿って延在する第２の先端部とを有し、
前記第１の突出部の前記第１の先端部および前記第２の突出部の前記第２の先端部は、互いに対向するように、前記第１の収納部および前記第２の収納部にそれぞれ設けられている請求項１ないし９のいずれか１項に記載のクリップライト作業灯。
【考案の詳細な説明】
【技術分野】
【０００１】
本考案は、クリップライト作業灯に関する。
【背景技術】
【０００２】
従来からあるクリップライト作業灯として、白熱電球や電球型蛍光灯等の一般電球を備えた作業灯がある（例えば特許文献１）。このような作業灯に防水性を付与する場合、作業灯の一部（一般電球）のみをカバー部材で覆う方法が挙げられる。しかし、このように作業灯の一部のみをカバー部材で覆う構成では、防水性が十分とは言い難い。
【０００３】
一方、一般電球を代替するＬＥＤ電球が普及している（例えば特許文献２）。ＬＥＤ電球は、ハウジング内にＬＥＤ光源と電源ユニットとを内蔵している。ＬＥＤ光源は、熱を多く発するため、放熱処理が問題となっている。このようなＬＥＤ電球をクリップライト作業灯に使用し、前述したようにカバー部材で覆う場合、ＬＥＤ光源からの熱が、電源ユニットに悪影響を与える。
【０００４】
また、防水性の他に、ホールド性を向上させた作業灯がある（例えば特許文献３）。この作業灯は、ランプカバーと、グリップケースと、これらの間に設けられたランプカバー受け止め壁と、ランプカバー受け止め壁に固定されたランプソケットと、ランプカバーに内設されるように、ランプソケットに差し込まれた蛍光ランプと、グリップケースに内蔵されたプリント配線基板とを備えている。このような作業灯は、ホールド性や外観の美感を向上させる観点から、プリント配線基板をグリップケースに内蔵している。しかし、熱伝導率の高い金属材料を含むランプソケットが、ランプカバーとグリップケースとの間に設けられていることなど、光源からの熱を何ら考慮していない。光源としてＬＥＤを使用する場合、ＬＥＤ光源から発せられた熱が、ランプソケットを介して、グリップケース側の内部空間に伝わり、プリント配線基板に悪影響を与える。
【先行技術文献】
【特許文献】
【０００５】
【特許文献１】特開２００６−１２７９５３号公報
【特許文献２】特開２０１０−４５０３０号公報
【特許文献３】特開２００１−６４０１号公報
【考案の概要】
【考案が解決しようとする課題】
【０００６】
本考案の目的は、防水性を有するとともに、ＬＥＤ装置からの熱が電源部に悪影響を与えることを防止または抑制して、安定的に使用することができるクリップライト作業灯を提供することにある。
【課題を解決するための手段】
【０００７】
このような目的は、下記（１）〜（１０）の本考案により達成される。
（１）  第１の収納部と、前記第１の収納部内に設けられたＬＥＤ装置と、前記第１の収納部の一端に嵌合する第２の収納部と、前記ＬＥＤ装置を駆動するための電源部とを備えるクリップライト作業灯であって、
前記電源部は、前記ＬＥＤ装置と分離されるように、前記第２の収納部内に設けられていることを特徴とするクリップライト作業灯。
【０００８】
（２）  前記第１の収納部と前記第２の収納部との間に、前記第１の収納部と前記第２の収納部との内部空間を仕切る遮断部をさらに備える上記（１）に記載のクリップライト作業灯。
【０００９】
（３）  前記遮断部は、合成樹脂製であり、前記ＬＥＤ装置と前記電源部とを電気的に接続する配線を挿通する開口部を有する上記（２）に記載のクリップライト作業灯。
【００１０】
（４）  前記ＬＥＤ装置は、長尺のＬＥＤ用基板と、前記ＬＥＤ用基板上に直線状に配置された複数のＬＥＤ素子とを有する少なくとも１つのＬＥＤ実装基板を備え、
前記少なくとも１つのＬＥＤ実装基板は、その一端で、前記遮断部に設けられている上記（３）に記載のクリップライト作業灯。
【００１１】
（５）  前記遮断部は、平面視で円形状をなし、
前記少なくとも１つのＬＥＤ実装基板は、複数のＬＥＤ実装基板を備え、
前記複数のＬＥＤ実装基板は、前記遮断部の円周に沿って等間隔に設けられている上記（４）に記載のクリップライト作業灯。
【００１２】
（６）  前記第２の収納部は、前記クリップライト作業灯を所定の場所に固定するクリップが取り付けられる当接部と、人の手により把持される把持部とを備える上記（１）ないし（５）のいずれかに記載のクリップライト作業灯。
【００１３】
（７）  前記電源部は、前記当接部に対応するように前記第２の収納部内に設けられている上記（６）に記載のクリップライト作業灯。
【００１４】
（８）  前記電源部は、前記クリップライト作業灯に他のクリップライト作業灯を電気的に連結するための接続部をさらに備える上記（１）ないし（７）のいずれかに記載のクリップライト作業灯。
【００１５】
（９）  前記第１の収納部は、複数の面で形成され、隣り合う前記面同士の間にリブ部を備える上記（１）ないし（８）に記載のクリップライト作業灯。
【００１６】
（１０）  前記第１の収納部は、第１の突出部を備え、
前記第１の突出部は、前記第１の収納部に突設された第１の基端部と、前記第１の基端部から湾曲して、前記第１の収納部の長手方向に沿って延在する第１の先端部とを有し、
前記第２の収納部は、第２の突出部を備え、
前記第２の突出部は、前記第２の収納部に突設された第２の基端部と、前記第２の基端部から湾曲して、前記第２の収納部の長手方向に沿って延在する第２の先端部とを有し、
前記第１の突出部の前記第１の先端部および前記第２の突出部の前記第２の先端部は、互いに対向するように、前記第１の収納部および前記第２の収納部にそれぞれ設けられている上記（１）ないし（９）のいずれかに記載のクリップライト作業灯。
【考案の効果】
【００１７】
本考案によれば、上記課題を解決することができるクリップライト作業灯を提供することができる。
【図面の簡単な説明】
【００１８】
【図１】図１は、本考案のクリップライト作業灯を示す斜視図である。
【図２】図２は、本考案のクリップライト作業灯の内部構成の一部を示す断面図である。
【図３】図３は、本考案のクリップライト作業灯にクリップが固定された状態を示す斜視図である。
【図４】図４は、本考案のクリップライト作業灯を示す上面図である。
【図５】図５は、本考案のクリップライト作業灯が備える遮断部の底面図である。
【考案を実施するための形態】
【００１９】
以下、本考案のクリップライト作業灯を添付図面に示す好適な実施形態に基づいて詳細に説明する。説明の都合上、図１ないし図３中の右上側を「上」、左下側を「下」、左上側を「左」、右下側を「右」として説明する。また、図４中の紙面手前側および図５中の紙面奥側をそれぞれ「上」、図４中の紙面奥側および図５中の紙面手前側をそれぞれ「下」、図４および図５中の左側を「左」、右側を「右」として説明する。
【００２０】
図１は、本考案のクリップライト作業灯を示す斜視図である。図２は、本考案のクリップライト作業灯の内部構成の一部を示す断面図である。図３は、本考案のクリップライト作業灯にクリップが固定された状態を示す斜視図である。図４は、本考案のクリップライト作業灯を示す上面図である。図５は、本考案のクリップライト作業灯が備える遮断部の底面図である。
【００２１】
図１および図２に示すように、クリップライト作業灯１は、第１の収納部２と、第１の収納部２に内設されたＬＥＤ装置３と、第１の収納部２の一端に嵌合する第２の収納部４と、第２の収納部４に内設された電源部５と、第１の収納部２および第２の収納部４の間に設けられた遮断部６とを有する。以下、各部について順に説明するが、本考案のクリップライト作業灯１は防水性を有しており、各部の接合は、クリップライト作業灯１の防水性を確保するようになされる。また、本明細書において、防水性とは、水の浸入を防止または抑制できることを意味する。また、各部の接合は、クリップライト作業灯１が、全方向に防水性を有するように行うことが好ましく、防塵性も有するように行うことが好ましい。
【００２２】
（第１の収納部）
第１の収納部２は、本体部２１と、複数のリブ部２２と、第１の突出部２３とを有する。第１の収納部２は、ＬＥＤ装置３を収納し、ＬＥＤ装置３からの光を拡散する機能と、ＬＥＤ装置３を衝撃や水滴などから保護する機能を主に有する。すなわち、第１の収納部２は、ＬＥＤ装置３を収納するＬＥＤカバーである。
【００２３】
本体部２１は、角筒状の側部２１１と、ドーム状の頂部２１２と、本体部２１の下端を構成する嵌合部２１３とを有し、ＬＥＤ装置３を収納するとともに、ＬＥＤ装置３からの光を拡散する。側部２１１は、８つの側面で構成され、その径（外径および内径、以下、単に「径」と記載したときは、外径および内径を意味する）は、下方に向かって漸減している。頂部２１２は、側部２１１と一体的に形成されており、側部２１１と同様に、ＬＥＤ装置３からの光を拡散する。本体部２１の下端に設けられた嵌合部２１３は、平面視で円形状の開口（下開口）を規定し、図２に示すように、後述する第２の収納部４に嵌合する。
【００２４】
このような本体部２１は、合成樹脂（ポリエチレン、ポリプロピレン、ポリスチレン、ポリカーボネート等の熱可塑性樹脂が好ましく、ポリカーボネートがより好ましい）で構成されている。本体部２１の構成材料、形状、構成は、上記機能を発揮できれば、特に限定されない。例えば、本体部２１は、下方が開放した円柱状、角柱状、球状等であってもよい。また、本体部２１の構成材料として、合成樹脂の他に、光拡散剤等の材料を含んでいてもよい。また、本体部２１は、実質的に透明（無色透明、着色透明、半透明）であればよく、半透明であることが好ましい。また、本体部２１の一部（例えば頂部２１２や嵌合部２１３）は、光を拡散する機能を有していなくてもよい。この場合、本体部２１の一部を金属材料やセラミック等で構成することにより、クリップライト作業灯１の耐久性を向上させることができる。
【００２５】
リブ部２２は、本体部２１の長手方向に沿って、側部２１１の側面同士の間に設けられた８本のリブ部２２と、８本のリブ部２２の上端を覆うように（図４に示すように）、本体部２１の側部２１１および頂部２１２の間に周設された１本のリブ部２２と、で構成されている。リブ部２２により、クリップライト作業灯１が不意に落下、転倒した場合であっても、側部２１１の側面が傷付くことを防止または抑制することができる。このようなリブ部２２の構成材料、形状、構成は、上記機能を発揮できれば、特に限定されない。例えば、リブ部２２は、本体部２１と同様の構成材料で構成してもよく、金属材料やセラミック等で構成してもよい。また、リブ部２２の形状は、非直線形状（例えば波状）であってもよい。また、リブ部２２の数は、特に限定されず、１本のみで構成されていてもよい。
【００２６】
第１の突出部２３は、本体部２１の長手方向に沿って設けられた８本のリブ部２２のうちの１つと、本体部２１に周設された１本のリブ部２２とが交わる位置にその基端が設けられている（図１および図４）。第１の突出部２３は、第１の基端部２３ａと第１の先端部２３ｂとで構成され、クリップライト作業灯１を吊るす機能を有する。第１の基端部２３ａは、上記位置から本体部２１の長手方向（クリップライト作業灯１の長手方向）に対してほぼ垂直に突出している。また、第１の先端部２３ｂは、第１の基端部２３ａから下方に湾曲し、本体部２１の長手方向と平行に延在している。このような構成の第１の突出部２３を、例えば、建物の外壁面に設けられた被掛合部（例えばＬ字状のフック）に掛合すると、クリップライト作業灯１を、頂部２１２が上方を向くように外壁面に設置することができる。このような第１の突出部２３の構成材料、形状、構成は、上記機能を発揮できれば、特に限定されない。第１の突出部２３は、例えば、リブ部２２と同様の構成材料で構成される。また、第１の先端部２３ｂは、波状にうねるような形状であってもよく、その先端が球状であってもよい。これにより、被掛合部との掛合をより確実にすることができる。
【００２７】
第１の収納部２は、射出成形や３Ｄ立体造形等により一体的に形成することができる。また、第１の収納部２の各部（例えば、側部２１１と頂部２１２）は、別々に形成された後に、接合されてもよい。この接合は、機械的接合（リベット、ネジ、ボルト接合等）や、冶金的接合（融接、圧接、ろう接、プラスチック溶接等の溶接）であってもよい。機械的接合の場合は、ゴムリング等のシール部材を併用することが好ましい。これにより、クリップライト作業灯１の防水性を確保することができる。第１の収納部２内に、ＬＥＤ装置３が設けられている。
【００２８】
（ＬＥＤ装置）
ＬＥＤ装置３は、複数（本実施形態では５つ）のＬＥＤ実装基板３１と、各ＬＥＤ実装基板３１を接続する配線板３２と、ＬＥＤ実装基板３１からの熱を放熱する放熱板（図示せず）とを有し、クリップライト作業灯１の光源として機能する。
【００２９】
図２に示すように、各ＬＥＤ実装基板３１は、長尺状をなすＬＥＤ用基板３１１と、複数（本実施形態では７個）のＬＥＤ素子３１２とを備えている。ＬＥＤ用基板３１１は、ＬＥＤ素子３１２を実装するための基板であり、ガラスエポキシ基板やアルミナ基板等のリジッド基板である。ＬＥＤ素子３１２は、ＬＥＤ用基板３１１の長手方向に沿って直線状に配置されている。
【００３０】
また、各ＬＥＤ実装基板３１は、その長手方向が、第１の収納部２の長手方向（クリップライト作業灯１の長手方向）に沿うように設けられている。したがって、ＬＥＤ実装基板３１が第１の収納部２内に設置された状態で、ＬＥＤ素子３１２は、第１の収納部２の長手方向に沿って設けられ、かつ、本体部２１の側部２１１と対向している。また、ＬＥＤ実装基板３１は、第１の収納部２の周方向に沿って等間隔に、第１の収納部２内に設けられている。
【００３１】
このように各ＬＥＤ実装基板３１を構成、配置することにより、ＬＥＤ素子３１２からの光は、第１の収納部２（本体部２１の側部２１１）の周方向（３６０°の全方向）にほぼ均一に伝達し、かつ、本体部２１の頂部２１２に伝達する。さらに、ＬＥＤ素子３１２からの光は、本体部２１を介して効率よく拡散される。
【００３２】
ＬＥＤ実装基板３１の先端（上端）には、すべてのＬＥＤ実装基板３１を束ねるように１枚の配線板３２が載置され、各ＬＥＤ実装基板３１を機械的および電気的に接続している。なお、これらを接続する配線は図示していない。また、ＬＥＤ実装基板３１の基端（下端）は、後述する遮断部６に固定されている。これにより各ＬＥＤ実装基板３１は、その先端および基端が固定され、互いに接近および離間しない。放熱板は、ＬＥＤ実装基板３１の裏面（ＬＥＤ素子３１２が設けられた面とは反対側の面）に接するように設けられおり、アルミ等の金属材料で構成される。
【００３３】
ＬＥＤ装置３の構成（例えば、ＬＥＤ実装基板３１およびＬＥＤ素子３１２の数や大きさ等）は、特に限定されないが、ＬＥＤ装置３が、次に示す消費電力および全光束となるように選択することが好ましい。すなわち、それらの数や大きさは、ＬＥＤ装置３の消費電力が、１０Ｗ以上（好ましくは２０Ｗ以上６０Ｗ以下）であり、全光束が１５００ｌｍ以上（好ましくは２０００ｌｍ以上３０００ｌｍ以下）となるように設定することが好ましい。また、本実施形態では、ＬＥＤ装置３が、複数のＬＥＤ実装基板３１を備えているが、ＬＥＤ実装基板３１は１つであってもよい。この場合、例えば、ＬＥＤ用基板３１１を筒状とし、その周方向および長手方向に沿って、複数のＬＥＤ素子３１２を配置することができる。このような１つのＬＥＤ実装基板３１は、その一端で、遮断部６に設置される。このような構成、配置によっても、ＬＥＤ素子３１２からの光は、第１の収納部２（本体部２１の側部２１１）の周方向（３６０°の全方向）にほぼ均一に伝達し、かつ、本体部２１の頂部２１２に伝達する。さらに、ＬＥＤ素子３１２からの光は、本体部２１を介して効率よく拡散される。
【００３４】
本実施形態では、ＬＥＤ装置３の全長（その長手方向に沿った長さ）は、第１の収納部２の本体部２１の側部２１１の全長と同程度である。また、各ＬＥＤ実装基板３１では、複数のＬＥＤ素子３１２が、ＬＥＤ用基板３１１にわたって設けられている。これにより、ＬＥＤ装置３からの光が、本体部２１によって効率よく拡散される。また、ＬＥＤ装置３の全長が、側部２１１の全長よりも長い場合（ＬＥＤ装置３の配線板３２が、側部２１１を越えて頂部２１２まで至る場合）、ＬＥＤ素子３１２からの光は、頂部２１２によって、より効率的に拡散される。したがって、ＬＥＤ装置３の全長は、側部２１１の全長の８０％〜１２０％であることが好ましい。
【００３５】
（第２の収納部）
第２の収納部４は、有底の筒状をなし、当接部４１と、把持部４２とを有する。第２の収納部４の上端は開放しており、本体部２１の下端の下開口と対応する開口が形成されている。このような第２の収納部４の上端と、第１の収納部２の下端とが接続（嵌合）することにより、クリップライト作業灯１に内部空間が形成される。以下、各部について説明する。
【００３６】
当接部４１は、円筒状をなし、その上端部４１１は、第１の収納部２および後述する遮断部６を受容するように形成されている。具体的に、上端部４１１は、図２に示すように、第１の収納部２（本体部２１）の嵌合部２１３および遮断部６の縁部６３が嵌合するように、その断面が凹状となっている。このため、上端部４１１の外径は、第１の収納部２（本体部２１）の下開口の外径よりも若干大きい。このように、上端部４１１の寸法（外径等）および形状は、第１の収納部２の寸法や形状に応じて調整される。例えば、第１の収納部２が下方が開放された四角柱状をなし、下開口が平面視で四角形状である場合、それに応じて上端部４１１も平面視で四角形状となるように形成される。
【００３７】
また、当接部４１の上端部４１１よりやや下方には、２本の凸条４１２が周設されている。この凸条４１２同士の間の周面に、図３に示すように、クリップ７が当接する。２本の凸条４１２同士の間隔は、クリップ７の先端部の大きさに対応するように設計されている。このように、当接部４１は、クリップ７を当接させる機能を有している。
【００３８】
さらに、当接部４１には、電源部５の主要部分が収納されている（図２）。すなわち、当接部４１は、電源部５を収納する機能も有している。これらの機能を発揮できるように、当接部４１の構成材料、形状、構成（例えば当接部４１の径等）は調整される。当接部４１は、合成樹脂で構成されることが好ましい。ただし、セラミックス、金属材料またはゴム材料で構成されていてもよく、これらの材料を部分的に含んでいてもよい。なお、図２に示すように、当接部４１の下端側には、電源部５のスイッチ５３が設けられている。また、当接部４１は、下端側で、把持部４２に接続するように、その一部の径が漸減している。
【００３９】
第２の収納部４は、このような当接部４１とともに、人の手により把持される把持部４２を有する。すなわち、第２の収納部４において、電源部５（電源回路５０）が設けられる部分（当接部４１）と、人の手により把持される機能を有する部分（把持部４２）とが分けられている。これにより、それぞれの部分の機能をより効果的に発揮することができる。具体的に、当接部４１は、人の手により把持されるという機能に起因する制約（例えば、その径が大き過ぎると把持し難くなるため、ある程度径を小さくしなければならないという制約）を極力受けず、電源部５を収納し易いように（またはクリップ７が当接し易いように）、その径や形状を設計することができる。一方、把持部４２は、電源部５を収納するという機能に起因する制約（例えば、背の高い部品を考慮して、その径をある程度大きくしなければならないという制約）を極力受けず、人の手により把持され易いように、その径や形状を設計することができる。
【００４０】
把持部４２は、有底の筒状をなし、縞状（凹凸状）に形成された滑り止め部４２１と、第２の突出部４２２と、第１のフック４２３と、第２のフック４２４と、シール部４２５とを有する。把持部４２は、その径が当接部４１の径よりも小さく設計され、作業者がクリップライト作業灯１を確実に把持することができる。このような効果は、滑り止め部４２１が設けられていることにより顕著に発揮される。また、把持部４２は、作業者の手により把持される機能を有するが、このような機能が発揮される範囲で、当接部４１と同程度の径を有していてもよく、当接部４１よりも大きい径を有していてもよい。また、把持部４２の径は、本実施形態では一定であるが、人の手により把持され易いように、その径が上方または下方に向かって変化（例えば漸減）してもよい。
【００４１】
また、把持部４２に対応する内部空間には、電源部５の一部（電源回路５０の一部）のみが収納されている。これにより、電源回路５０からの熱が、作業者の手に伝わり難く、作業者が、クリップライト作業灯１を長時間把持することに寄与する。把持部４２の構成材料は、当接部４１と同様の構成材料を用いることができる。また、その形状は、角柱状等であってもよい。また、滑り止め部４２１は、その他の形状（例えば複数のドット形状）をなしていてもよい。
【００４２】
第２の突出部４２２は、第２の基端部４２２ａと、第２の先端部４２２ｂとで構成される。第２の基端部４２２ａは、把持部４２の下端から、第２の収納部４の長手方向（クリップライト作業灯１の長手方向）に対してほぼ垂直に突出している。また、第２の先端部４２２ｂは、第２の基端部４２２ａから上方に湾曲し、第２の収納部４の長手方向に延在している。このような第２の突出部４２２の機能は、前述した第１の突出部２３と同様であり、当該クリップライト作業灯１を所定の箇所に吊るすことである。例えば、第２の突出部４２２を外壁面に設けられた被掛合部に掛合すれば、頂部２１２が下方を向いた状態で、クリップライト作業灯１を外壁面に設置することができる。
【００４３】
ここで、図１に示すように、第１の突出部２３（第１の先端部２３ｂ）および第２の突出部４２２（第２の先端部４２２ｂ）は、互いに対向するように、第１の収納部２および第２の収納部４にそれぞれ設けられている。このような配置、構成により、当該クリップライト作業灯１を地面に対して様々な角度で吊り下げることができる。具体的には、第２の突出部４２２を建物の外壁面に設けられた被掛合部に掛合させるとともに、第１の突出部２３をロープの一端に繋ぎ、ロープの他端を外壁面に対して引くことで、クリップライト作業灯１の地面に対する角度を調整することができる。例えば、クリップライト作業灯１と地面との角度を９０°にする、また、クリップライト作業灯１を地面に対して平行にすることもできる。ロープの他端は、所定の場所に固定すればよい。第２の突出部４２２の構成材料、形状、構成は、上記機能を発揮できれば、特に限定されず、第１の突出部２３と同様に、変更され得る。例えば、第２の先端部４２２ｂ、波状にうねるような形状であってもよく、その先端が球状であってもよい。これにより、被掛合部との掛合をより確実にすることができる。
【００４４】
第１のフック４２３は、把持部４２の下端から下方に突出するように設けられている。第１のフック４２３は、クリップライト作業灯１を所望の場所に取り付ける取付部として機能する。例えば、第１のフック（第１の取付部）４２３を作業者のベルトに繋がれたカラビナに係合することにより、クリップライト作業灯１を作業者の腰に装着することもできる。
【００４５】
また、第２のフック（第２の取付部）４２４は、把持部４２の下端側に周設された溝に嵌合し、かつ、下方に突出するように設けられている。第２のフック４２４の機能は、第１のフック４２３の機能と同様であるが、第２のフック４２４の径は、第１のフック４２３の径よりも大きい。このように、異なる径を有する複数のフック（取付部）を有することで、様々な場所に、クリップライト作業灯１を設置することができる。
【００４６】
このような第１のフック４２３および第２のフック４２４は、当接部４１と同様の構成材料を用いることができる。例えば、これらは、セラミックスや金属材料で構成されてもよい。これにより、第２の収納部４（特に第２の収納部４の底面）の損傷を防止または抑制することにも寄与し得る。また、第１のフック４２３および第２のフック４２４は、把持部４２の下端にまとめて設けられていてもよいが、分離して設けられていてよく、その形状は、図示のものに限定されない。
【００４７】
シール部４２５は、把持部４２の底面に形成された２つの貫通孔をそれぞれ塞ぐように設けられている。かかる貫通孔には、電源部５のコード（配線５１１および配線５２１）が挿通されている。シール部４２５は、配線５１１および配線５２１と各貫通孔との隙間を塞ぐように設けられている。これにより、水がクリップライト作業灯１の内部空間に浸入することを的確に防止または抑制することができる。なお、このようなシール部４２５は、本実施形態では２つ設けられているが、これに限定されず、クリップライト作業灯１の各部（例えば当接部４１の上端部４１１）に設けられていてもよい。これにより、クリップライト作業灯１の防水性をより向上させるができる。このようなシール部４２５は、各種ゴム材料（アクリルゴム、ウレタンゴム、シリコーンゴム等）で構成されていることが好ましい。
【００４８】
（電源部）
電源部５は、コンデンサ等の部品を有する電源回路５０と、ＡＣ−ｉｎ接続部５１と、ＡＣ−ｏｕｔ接続部５２と、スイッチ５３とを備え、ＬＥＤ装置３に電力を供給する機能を有する。電力の供給のＯＮ／ＯＦＦは、防水性を有するスイッチ５３を操作することによりなされる。スイッチ５３は、押しボタンであり押圧することで操作できる。なお、電源回路５０の構成は、特に限定されないが、スイッチング方式が好ましい。
【００４９】
電源部５は、第２の収納部４内に設けられている。前述したように、電源部５（電源回路５０）は、当接部４１に対応して設けられているが、把持部４２に対応するように設けられていてもよい。このように、クリップライト作業灯１の内部空間では、第１の収納部２側にＬＥＤ装置３が、第２の収納部４側に電源部５が内設される。これにより、ＬＥＤ装置３からの熱が電源部５に伝わり難くなっている。このような配置により、ＬＥＤ装置３からの熱が電源部５に悪影響を与えることを防止または抑制することができる。
【００５０】
ＡＣ−ｉｎ接続部５１は、２本のプラグを備え、その配線５１１は、スイッチ５３を介して、電源回路５０に接続されている。なお、電源回路５０には、ＬＥＤ装置３の配線板３２に接続される配線（図示せず）も接続されている。ＡＣ−ｉｎ接続部５１を外部の差し込み口に接続することにより、外部電力がクリップライト作業灯１に供給され、ＬＥＤ装置３を駆動させることができる。
【００５１】
ＡＣ−ｏｕｔ接続部５２は、２つのソケットおよびキャップ５２２を備え、その配線５２１は、配線５１１の途中に接続されている。ＡＣ−ｏｕｔ接続部５２に他の作業灯を接続することにより、クリップライト作業灯１を介して、他の作業灯に外部電力を同時に供給することができる。
【００５２】
ＡＣ−ｉｎ接続部５１およびＡＣ−ｏｕｔ接続部５２は、いずれも防水性を有する。図１および図２に示すように、ＡＣ−ｉｎ接続部５１の配線５１１およびＡＣ−ｏｕｔ接続部５２の配線５２１は、第２の収納部４の底面を挿通している。一方、配線板３２に接続される配線は、遮断部６を挿通している。
【００５３】
（遮断部）
遮断部６は、図５に示すように、開口部６１と、位置マーク６２と、遮断部６の外周端部に突設された縁部６３とを有する。遮断部６は、平面視で円形状をなし、第１の収納部２の下開口の内径に対応する大きさの外径を有する。遮断部６は、第２の収納部４の上端部４１１および第１の収納部２の嵌合部２１３に挟持された状態（図２に示す状態）で、第１の収納部２と第２の収納部４との間に設けられている。これにより、遮断部６が、クリップライト作業灯１内の内部空間を、第１の収納部２側と、第２の収納部４側とに仕切って（分離して）いる。
【００５４】
このように、遮断部６が内部空間を分離することにより、ＬＥＤ装置３から発せられた熱が、第２の収納部４側に設けられた電源部５（電源回路５０）に伝達することをより確実に防止または抑制することができる。このため、遮断部６は、合成樹脂（好ましくは熱可塑性樹脂）で構成されることが好ましいが、熱伝導率が低い（熱伝導率が１以下）のその他の材料（ガラスや木材等）で構成されていてもよい。また、遮断部６は、熱伝導率が１を超える材料（例えば金属材料）で構成された部材（例えばネジ等）を有していてもよい。そのような場合、熱伝導率が１を超える材料で構成された部材は、遮断部６全体に対して５体積％〜１０体積％とすることが好ましく、５体積％以下とすることがより好ましい。これにより、ＬＥＤ装置３から発せられる熱が第２の収納部４側に伝達することを好適に防止または抑制することができる。
【００５５】
また、開口部６１は、遮断部６の中央に形成されており、ＬＥＤ装置３と電源部５とを電気的に接続する配線が挿通される。このような開口部６１の大きさは、遮断部６の上記機能（ＬＥＤ装置３からの熱を遮断する機能）を効果的に発揮できるように、配線を挿通できる範囲で、なるべく小さい方が好ましい。具体的には、平面視で、遮断部６全体の面積に対して、開口部６１の面積が、１．５％〜５．０％程度であることが好ましく、１．０％〜３．０％程度であることがより好ましい。また、開口部６１の配置は、遮断部６の縁側に設けられていてもよい。また、開口部６１の形状は、配線を挿通できればよく、円形、楕円形、多角形等であってもよい。また、開口部６１の数は、２つ以上であってもよい。
【００５６】
また、遮断部６は、その一方の面（上面）で、ＬＥＤ装置３を固定する機能も有している。すなわち、遮断部６は、ブラケットとして機能する。具体的に、図５に示すように、５つのＬＥＤ実装基板３１は、それぞれ、遮断部６の開口部６１の周りに等間隔に配置された位置マーク６２に対応するように、遮断部６の上面（図５中紙面奥側の面）に固定されている。すなわち、複数のＬＥＤ実装基板３１が、遮断部６の円周に沿って設置されている。このように、遮断部６は、ＬＥＤ装置３からの熱を遮断する機能と、ブラケットとしての機能とを兼ね備えている。これにより、遮断部材とブラケットの２つの部材が１つにまとめられているため、クリップライト作業灯１の小型化に寄与する。
【００５７】
遮断部６の寸法（外径等）および形状は、第１の収納部２の寸法および形状に応じて調整される。例えば、第１の収納部２が、下方が開放された四角柱状をなし、下開口が平面視で四角形状である場合、それに応じて遮断部６も平面視で四角形状となるように形成される。
【００５８】
（クリップ）
クリップ７は、図３に示すように、第１の挟持部７１と、第２の挟持部７２とを備える。第１の挟持部７１は、第２の収納部４の当接部４１に当接し、クリップライト作業灯１を挟持する。一方、第２の挟持部７２は、被取付部（例えば、工事現場の足場のパイプ）を把持する。これにより、所望の場所にクリップライト作業灯１を設置することができる。
【００５９】
以上説明したクリップライト作業灯１は、第１の収納部２と、第１の収納部２に内設されたＬＥＤ装置３と、第１の収納部２の一端に嵌合する第２の収納部４と、ＬＥＤ装置３を駆動するための電源部５とを備える。電源部５は、ＬＥＤ装置３と分離されるように、第２の収納部４内に設けられている。このように、クリップライト作業灯１の内部空間に、ＬＥＤ装置３および電源部５が分離して設けられていることにより、ＬＥＤ装置３からの熱が電源部５に悪影響を与えることを防止または抑制して、安定的に使用することができるクリップライト作業灯１を提供することができる。さらに、第１の収納部２と第２の収納部４との間に、遮断部６を設けることにより、ＬＥＤ装置３からの熱が電源部５（電源回路５０）に悪影響を及ぼすことをより確実に防止または抑制することができる。
【００６０】
以上、本考案のクリップライト作業灯を、好適な実施形態に基づいて説明したが、本考案はこれに限定されるものではなく、各部の構成は、同様の機能を有する任意の構成のものに置換することができる。また、本考案に、他の任意の手段または構成物が付加されていてもよい。例えば、第１の収納部は、導光板を備えるように構成されていてもよい。また、電源部は、電源回路の下面（コンデンサ等の部品が載置される面とは反対側の面）に合成樹脂製の絶縁板が設けられていてもよい。また、本考案のクリップライト作業灯の構成の一部（例えばリブ部や突出部、フック、滑り止め部等）が省略されていてもよい。
【符号の説明】
【００６１】
１…クリップライト作業灯  ２…第１の収納部  ２１…本体部  ２１１…側部  ２１２…頂部  ２１３…嵌合部  ２２…リブ部  ２３…第１の突出部  ２３ａ…第１の基端部  ２３ｂ…第１の先端部  ３…ＬＥＤ装置  ３１…ＬＥＤ実装基板  ３１１…ＬＥＤ用基板  ３１２…ＬＥＤ素子  ３２…配線板  ４…第２の収納部  ４１…当接部  ４１１…上端部  ４１２…凸条  ４２…把持部  ４２１…滑り止め部  ４２２…第２の突出部  ４２２ａ…第２の基端部  ４２２ｂ…第２の先端部  ４２３…第１のフック  ４２４…第２のフック  ４２５…シール部  ５…電源部  ５０…電源回路  ５１…ＡＣ−ｉｎ接続部  ５１１…ＡＣ−ｉｎ接続部の配線  ５２…ＡＣ−ｏｕｔ接続部  ５２１…ＡＣ−ｏｕｔ接続部の配線  ５２２…キャップ  ５３…スイッチ  ６…遮断部  ６１…開口部  ６２…位置マーク  ６３…縁部  ７…クリップ  ７１…第１の挟持部  ７２…第２の挟持部
【図１】
0003212895.tif 000003
【図２】
0003212895.tif 000004
【図３】
0003212895.tif 000005
【図４】
0003212895.tif 000006
【図５】
0003212895.tif 000007